(57)【要約】【課題】ボウタイアンテナに限定されることなく広帯域を実現する。【解決手段】給電点１２３ａ，１２３ｂから導体部１２０ａ，１２０ｂの給電点１２３ａ，１２３ｂに対向する端部までの間に凹部１２２ａによる凹凸が形成された凹凸部１２２と、給電点１２３ａ，１２３ｂから導体部１２０ａ，１２０ｂの給電点１２３ａ，１２３ｂに対向する端部まで平坦のみで形成される平坦部１２１とを有する。【選択図】図１
2009077249.tif 000002
【特許請求の範囲】
【請求項１】
給電点を有する導体部からなる広帯域アンテナであって、
前記給電点から当該導体部の前記給電点に対向する端部までの間に凹凸が形成された凹凸部と、
前記給電点から当該導体部の前記給電点に対向する端部まで平坦のみで形成される平坦部とを有する広帯域アンテナ。
【請求項２】
請求項１に記載の広帯域アンテナにおいて、
前記導体部は、前記給電点を頂点とする二等辺三角形の形状を有し、
前記凹凸部は、前記二等辺三角形の側辺に沿う領域に形成されていることを特徴とする広帯域アンテナ。
【請求項３】
請求項１または請求項２に記載の広帯域アンテナにおいて、
前記凹凸部における凹凸の高低差は、前記平坦部から離れるに従って大きくなることを特徴とする広帯域アンテナ。
【請求項４】
請求項１または請求項２に記載の広帯域アンテナにおいて、
前記凹凸部は、凹凸の数が異なる複数の凹凸部からなり、該複数の凹凸部における前記凹凸の数は、前記平坦部から離れるに従って多くなることを特徴とする広帯域アンテナ。
【請求項５】
請求項１乃至４のいずれか１項に記載の広帯域アンテナを有する非接触通信媒体であって、
前記広帯域アンテナがベース基材上に形成され、
前記ベース基材上に、前記給電点に接続され、前記導体部を介して非接触状態にて情報の書き込み及び読み出しが可能なＩＣチップが搭載されてなる非接触通信媒体。
【発明の詳細な説明】
【技術分野】
【０００１】
本発明は、広帯域な特性を有する広帯域アンテナに関する。
【背景技術】
【０００２】
昨今、情報化社会の進展に伴って、商品等に貼付されるタグやラベルに情報を記録し、このタグやラベルを用いての商品等の管理が行われている。このようなタグやラベルを用いた情報管理においては、タグやラベルに対して非接触状態にて情報の書き込みや読み出しを行うことが可能なＩＣチップが搭載された非接触型ＩＣタグや非接触型ＩＣラベルがその優れた利便性から急速な普及が進みつつある。
【０００３】
非接触状態にて情報の書き込みや読み出しが可能な非接触型ＩＣタグや非接触型ＩＣラベルにおいては、近年、小型化及び通信可能距離を確保するために、マイクロ波帯を利用して通信を行う微細なＩＣチップが用いられることが多くなってきている。
【０００４】
このような微細なＩＣチップを用いた場合、ＩＣチップに導電性のアンテナを接続することにより、ＩＣチップに対して情報の書き込みや読み出しが行われることになる。
【０００５】
図９は、マイクロ波帯を利用して通信を行うＩＣチップが搭載された非接触型ＩＣタグの一例を示す図であり、（ａ）は平面図、（ｂ）は（ａ）に示したＡ−Ａ’断面図である。
【０００６】
本構成例は図９に示すように、樹脂や紙等からなるベース基材５３０上に、互いに直列に並ぶように所定の間隔を有して形成された２つの帯状の導体部５２０ａ，５２０ｂからなるアンテナ部５２０が形成されており、この２つの導体部５２０ａ，５２０ｂの一端にそれぞれ設けられた給電点（不図示）に接続されるように、非接触状態にて情報の書き込み及び読み出しが可能なＩＣチップ５１０が搭載されて構成されている。
【０００７】
上記のように構成された非接触型ＩＣタグ５００においては、外部に設けられた情報書込／読出装置（不図示）に近接させることにより、情報書込／読出装置からの電波に共振してアンテナ部５２０に電流が流れ、この電流がＩＣチップ５１０に供給され、それにより、非接触状態において、情報書込／読出装置からＩＣチップ５１０に情報が書き込まれたり、ＩＣチップ５１０に書き込まれた情報がアンテナ部５２０を介して情報書込／読出装置にて読み出されたりする。
【０００８】
以下に、上述した非接触型ＩＣタグ５００の周波数特性について説明する。
【０００９】
図１０は、図９に示した非接触型ＩＣタグ５００の周波数特性を説明するための図であり、ＩＣチップ５１０に対する情報の書き込み及び読み出しに用いる周波数に対する非接触型ＩＣタグ５００のリターンロスを示す。
【００１０】
図９に示した非接触型ＩＣタグ５００においては、図１０に示すように、情報の書き込み及び読み出しに用いる周波数によってリターンロスが変化するため、リターンロスが最も低くなるアンテナ部５２０における共振点であるピークポイントＡにおける周波数を、情報の書き込み及び読み出しに用いる周波数ｆaに設定する必要がある。ここで、アンテナ部５２０においては、その長さが、情報の書き込み及び読み出しに用いる周波数ｆaとベース基材５３０の比透磁率及び比誘電率とから求まる波長λの１／２である場合に、その共振点における周波数がｆaとなって共振し、ＩＣチップ５１０に対する情報の書き込みや読み出しが可能となる。そのため、アンテナ部５２０における共振点であるピークポイントＡにおける周波数が、情報の書き込み及び読み出しに用いる周波数ｆaとなるように、アンテナ部５２０の長さを、情報の書き込み及び読み出しに用いる周波数ｆaとベース基材５３０の比透磁率及び比誘電率とを用いて設定すれば、ＩＣチップ５１０に対する情報の書き込みや読み出しが可能となる。
【００１１】
ここで、上述したような非接触型ＩＣタグ５００が、例えば、書籍等の物品に貼付されて使用された場合、書籍等の物品は誘電体で構成されているため、物品に貼付された非接触型ＩＣタグ５００のアンテナ部５２０の周波数特性が低い周波数方向にシフトすることになる。そのため、アンテナ部５２０の共振点が、情報の書き込み及び読み出しに用いる周波数ｆaに対してずれてしまい、非接触型ＩＣタグ５００に対する情報の書き込み及び読み出しができなくなってしまう虞れがある。
【００１２】
ところで、従来より、二等辺三角形からなる２つの導体が、その頂点が空隙を介して互いに対向するように配置されてなるボウタイアンテナが利用されている。
【００１３】
図１１は、一般的なボウタイアンテナを有する非接触型ＩＣタグの一例を示す図であり、（ａ）は平面図、（ｂ）は（ａ）に示したＡ−Ａ’断面図である。
【００１４】
本例は図１１に示すように、樹脂や紙等からなるベース基材６３０上に、二等辺三角形の形状を有する２つの導体部６２０ａ，６２０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部６２０が形成されており、この２つの導体部６２０ａ，６２０ｂに接続されるように、非接触状態にて情報の書き込み及び読み出しが可能なＩＣチップ６１０が搭載されて構成されている。
【００１５】
上記のように構成された非接触型ＩＣタグ６００においては、外部に設けられた情報書込／読出装置（不図示）に近接させることにより、情報書込／読出装置からの電波によりアンテナ部６２０に電流が流れ、この電流がＩＣチップ６１０に供給され、それにより、非接触状態において、情報書込／読出装置からＩＣチップ６１０に情報が書き込まれたり、ＩＣチップ６１０に書き込まれた情報がアンテナ部６２０を介して情報書込／読出装置にて読み出されたりする。
【００１６】
以下に、上述した非接触型ＩＣタグ６００の周波数特性について説明する。
【００１７】
図１２は、図１１に示した非接触型ＩＣタグ６００の周波数特性を説明するための図であり、ＩＣチップ６１０に対する情報の書き込み及び読み出しに用いる周波数に対する非接触型ＩＣタグ６００のリターンロスを示す。
【００１８】
図１１に示した非接触型ＩＣタグ６００においては、アンテナ部６２０における共振点の周波数は、図９に示したものと同様に、アンテナ部６２０の長さとベース基材６３０の比透磁率及び比誘電率とによって設定されるが、本例においては、アンテナ部６２０の長さが変化するため、それぞれの長さに応じた共振点が存在する。具体的には、図１１に示した非接触型ＩＣタグ６００について、Ｂ−Ｂ’間と、Ｃ−Ｃ’間とではアンテナ部６２０の長さが異なるため、Ｂ−Ｂ’間の長さと、Ｃ−Ｃ’間の長さとのそれぞれに応じた共振点が存在することになる。さらに、アンテナ部６２０を構成する２つの導体部６２０ａ，６２０ｂがそれぞれ二等辺三角形の形状を有するものであるため、アンテナ部６２０の長さは、Ｂ−Ｂ’間からＣ−Ｃ’間に渡って無段階に変化している。
【００１９】
このため、図１２に示すように、アンテナ部６２０においては、Ｂ−Ｂ’間の長さによる共振点となるピークポイントＡと、Ｃ−Ｃ’間の長さによる共振点となるピークポイントＢとが存在し、かつ、このピークポイント間はリターンロスがほぼ一定なものとなる。
【００２０】
これにより、Ｂ−Ｂ’間の長さによる共振点となるピークポイントＡにおける周波数が、情報の書き込み及び読み出しに用いる周波数ｆaとなるようにＢ−Ｂ’間の長さを設定しておけば、後に、非接触型ＩＣタグ６００が、例えば、書籍等の物品に貼付されて使用され、アンテナ部６２０の周波数特性が低い周波数方向にシフトした場合であっても、情報の書き込み及び読み出しに用いる周波数ｆaがピークポイントＡとピークポイントＢとの間にあれば、非接触型ＩＣタグ６００に対する情報の書き込み及び読み出しを行うことができる。
【００２１】
このようなボウダイアンテナにおいては、二等辺三角形の等しい辺が足された長さが１／２波長となる周波数が所望の帯域の下限周波数となり、二等辺三角形の頂点を通って底辺に垂直となる軸線の底辺間の長さが１／２波長となる周波数が所望の帯域の上限周波数となる周波数帯で放射する広帯域なアンテナを実現することができる。
【００２２】
また、このようなボウタイアンテナにおいて、二等辺三角形の等しい辺の形状を曲線状や階段状にすることにより、下限周波数を下げ、それによりさらなる広帯域なアンテナが考えられている（例えば、特許文献１参照。）。
【特許文献１】特開２００２−１３５０３７号公報
【発明の開示】
【発明が解決しようとする課題】
【００２３】
しかしながら、上述したようにボウタイアンテナの二等辺三角形の等しい辺の形状を曲線状や階段状にしたものにおいては、ボウタイアンテナの形状、すなわち広帯域を実現するための形状を維持しながら二等辺三角形の等しい辺の形状を曲線状や階段状にするには限界があり、さらなる広帯域を実現できるとは言い難い。
【００２４】
また、形状がボウタイアンテナの形状に限定されてしまうため、ボウタイアンテナを採用できない形状を有する非接触型ＩＣタグには用いることができないという問題点がある。
【００２５】
本発明は、上述したような従来の技術が有する問題点に鑑みてなされたものであって、ボウタイアンテナに限定されることなく広帯域を実現することができる広帯域アンテナ及びこれを有する非接触通信媒体を提供することを目的とする。
【課題を解決するための手段】
【００２６】
上記目的を達成するために本発明は、
給電点を有する導体部からなる広帯域アンテナであって、
前記給電点から当該導体部の前記給電点に対向する端部までの間に凹凸が形成された凹凸部と、
前記給電点から当該導体部の前記給電点に対向する端部まで平坦のみで形成される平坦部とを有する。
【００２７】
上記のように構成された本発明においては、導体部の給電点から給電点に対向する端部までの間に凹凸が形成された凹凸部と、導体部の給電点から給電点に対向する端部まで平坦のみで形成される平坦部とでは、給電点から給電点に対向する端部までの長さが凹凸部の凹凸の高低差の分だけ異なり、それにより、凹凸部における給電点から給電点に対向する端部までの長さによる共振点と、平坦部における給電点から給電点に対向する端部までの長さによる共振点とが存在し、ボウタイアンテナに限定されることなく広帯域が実現されることになる。
【００２８】
また、導体部が給電点を頂点とする二等辺三角形の形状を有するボウタイアンテナにおいて、凹凸部が二等辺三角形の側辺に沿う領域に形成されていれば、給電点から給電点に対向する端部までの長さが長い二等辺三角形の側辺に沿う領域における導体部の長さがさらに長くなることになり、さらなる広帯域が実現される。
【００２９】
また、凹凸部における凹凸の高低差を平坦部から離れるに従って大きくしたり、凹凸部を、凹凸の数が異なる複数の凹凸部から構成し、複数の凹凸部における凹凸の数を平坦部から離れるに従って多くしたりすることにより、平坦部からの共振点の変化が緩やかとなる。
【００３０】
また、前記広帯域アンテナを有する非接触通信媒体であって、
前記広帯域アンテナがベース基材上に形成され、
前記ベース基材上に、前記給電点に接続され、前記導体部を介して非接触状態にて情報の書き込み及び読み出しが可能なＩＣチップが搭載されている。
【発明の効果】
【００３１】
以上説明したように本発明においては、給電点から給電点に対向する導体部の端部までの間に凹凸が形成された凹凸部と、給電点から給電点に対向する導体部の端部まで平坦のみで形成される平坦部とを有する構成としたため、凹凸部における給電点から給電点に対向する端部までの導体部の長さによる共振点と、平坦部における給電点から給電点に対向する端部までの導体部の長さによる共振点とが存在し、ボウタイアンテナに限定されることなく広帯域を実現することができる。
【００３２】
また、導体部が給電点を頂点とする二等辺三角形であり、凹凸部が二等辺三角形の側辺に沿う領域に形成されているものにおいては、給電点から給電点に対向する端部までの長さが長い二等辺三角形の側辺に沿う領域における導体部の長さがさらに長くなることになり、広帯域を実現するボウタイアンテナにおいてさらなる広帯域を実現することができる。
【００３３】
また、凹凸部における凹凸の高低差が、平坦部から離れるに従って大きくなっているものにおいては、平坦部からの共振点の変化を緩やかにすることができる。
【００３４】
また、凹凸部が、凹凸の数が異なる複数の凹凸部からなり、複数の凹凸部における凹凸の数が、平坦部から離れるに従って多くなるものにおいても、平坦部からの共振点の変化を緩やかにすることができる。
【発明を実施するための最良の形態】
【００３５】
以下に、本発明の実施の形態について図面を参照して説明する。
【００３６】
（第１の実施の形態）
図１は、本発明の広帯域アンテナの第１の実施の形態を示す図であり、（ａ）は平面図、（ｂ）は（ａ）に示したＡ−Ａ’断面図、（ｃ）は（ａ）に示したＢ−Ｂ’断面図である。
【００３７】
本形態における広帯域アンテナは図１に示すように、樹脂や紙等からなるベース基材１３０上に形成されたアンテナ部１２０であって、互いに直列に並ぶように所定の間隔を有して形成された帯状の２つの導体部１２０ａ，１２０ｂからなる。２つの導体部１２０ａ，１２０ｂはそれぞれ、給電点１２３ａ，１２３ｂを有し、この給電点１２３ａ，１２３ｂを介して互いに対向しており、平坦部１２１と凹凸部１２２とからなる。
【００３８】
平坦部１２１は、平坦なベース基材１３０の表面に導電ペーストを塗布すること等によって導体部１２０ａ，１２０ｂが形成されていることにより、給電点１２３ａ，１２３ｂから導体部１２０ａ，１２０ｂの給電点１２３ａ，１２３ｂに対向する端部までが平坦のみで形成されている。
【００３９】
凹凸部１２２は、給電点１２３ａ，１２３ｂから離れる方向に複数の凹部１２２ａが形成されており、それにより、給電点１２３ａ，１２３ｂから導体部１２０ａ，１２０ｂの給電点１２３ａ，１２３ｂに対向する端部までの間にて凹凸が繰り返し形成されたものとなっている。
【００４０】
以下に、上記のように構成された広帯域アンテナの製造方法について説明する。
【００４１】
図２は、図１に示した広帯域アンテナの製造方法を説明するための図である。
【００４２】
図１に示した広帯域アンテナを製造するためには、まず、ベース基材１３０上に銀等からなる導電ペーストをスクリーン印刷等の手法によってアンテナ部１２０の外形に合わせて塗布する（図２（ａ））。なお、導電ペーストの塗布厚は、例えば０．７５ｍｍ程度が考えられる。
【００４３】
次に、ベース基材１３０の導体部１２０ａ，１２０ｂが形成された面上に、その表面の一部に凹凸を有するプレス型１４０を熱を加えながら押し付け、導体部１２０ａ，１２０ｂのそれぞれに凹部１２２ａを形成するとともに導体部１２０ａ，１２０ｂを硬化させる（図２（ｂ））。この際、プレス型１４０の表面に形成された凹凸の凸部によってベース基材１３０に押し付けられた導電ペーストが流れ込む領域を確保するために、プレス型１４０の表面に形成された凹凸の凸部の高さを、導電ペーストの塗布厚よりも高くすることが好ましい。それにより、プレス型１４０の表面に形成された凹凸の凸部によってベース基材１３０に押し付けられた導電ペーストは、プレス型１４０の表面に形成された凹凸の凹部による空間に流れ込むことになる。
【００４４】
その後、プレス型１４０をベース基材１３０上から取り除き、複数の凹部１２２ａによる凹凸部１２２と、凹部１２２ａが形成されていない平坦部１２１とを有する導体部１２０ａ，１２０ｂからなる広帯域アンテナが完成する（図２（ｃ））。
【００４５】
以下に、上述した広帯域アンテナの作用について説明する。
【００４６】
図３は、図１に示した広帯域アンテナを用いた非接触型ＩＣタグの一例を示す平面図である。
【００４７】
本例は図３に示すように、図１に示したようにアンテナ部１２０が形成されたベース基材１３０上に、アンテナ部１２０を構成する２つの導体部１２０ａ，１２０ｂの給電点１２３ａ，１２３ｂに接続されるように、非接触状態にて情報の書き込み及び読み出しが可能なＩＣチップ１１０が搭載されて構成されている。
【００４８】
上記のように構成された非接触型ＩＣタグにおいては、外部に設けられた情報書込／読出装置（不図示）に近接させることにより、情報書込／読出装置からの電波によりアンテナ部１２０に電流が流れ、この電流がＩＣチップ１１０に供給され、それにより、非接触状態において、情報書込／読出装置からＩＣチップ１１０に情報が書き込まれたり、ＩＣチップ１１０に書き込まれた情報がアンテナ部１２０を介して情報書込／読出装置にて読み出されたりする。
【００４９】
ここで、上述した非接触型ＩＣタグは、アンテナ部１２０の長さによる共振点において情報書込／読出装置からの電波に共振し、情報の書き込みや読み出しが行われることになる。、この時のアンテナ部１２０の長さとは、アンテナ部１２０を流れる電流がアンテナ部１２０の表面にて最も多く流れることになるため、アンテナ部１２０の表面の長さを指すことになる。アンテナ部１２０の長さは、平坦部１２１が平坦のみで形成されているのに対して、凹凸部１２２が凹部１２２ａを有し、この凹部１２２ａの深さの分だけ長くなっているため、平坦部１２１の長さである図中Ｃ−Ｃ’間の長さと、凹凸部１２２の長さである図中Ｄ−Ｄ’間の長さとでは異なっている。そのため、アンテナ部１２０においてはこれら２つの長さによる共振点を有することになる。
【００５０】
例えば、アンテナ部１２０の長さを２つの導体部１２０ａ，１２０ｂを合わせて１０８ｍｍとし、凹凸部１２２においては、１ｍｍ間隔で深さ０．１ｍｍの凹部１２２ａを形成したとする。すると、平坦部１２１の長さである図中Ｃ−Ｃ’間の長さは１０８ｍｍとなる一方、凹凸部１２２の長さである図中Ｄ−Ｄ’間の実質的な長さは１２０ｍｍとなる。そのため、図３に示した非接触型ＩＣタグにおいては、１０８ｍｍのアンテナ長による共振点と１２０ｍｍのアンテナ長による共振点とにおいて情報の書き込みや読み出しが可能となる。
【００５１】
このように、本形態においては、帯状の２つの導体部１２０ａ，１２０ｂからなるアンテナ部１２０において、給電点１２３ａ，１２３ｂから導体部１２０ａ，１２０ｂの給電点１２３ａ，１２３ｂに対向する端部まで平坦のみで形成される平坦部１２１と、給電点１２３ａ，１２３ｂから導体部１２０ａ，１２０ｂの給電点１２３ａ，１２３ｂに対向する端部まで複数の凹部１２２ａによって凹凸が繰り返し形成された凹凸部１２２とを有する構成であるため、平坦部１２１における給電点１２３ａ，１２３ｂから給電点１２３ａ，１２３ｂに対向する端部までの長さによる共振点と、凹凸部１２２における給電点１２３ａ，１２３ｂから給電点１２３ａ，１２３ｂに対向する端部までの実質的な長さによる共振点とが存在し、ボウタイアンテナに限定されることなく広帯域が実現されることになる。
【００５２】
なお、本形態においては、帯状の２つの導体部１２０ａ，１２０ｂからなるダイポールアンテナ形状のアンテナ部１２０を例に挙げて説明したが、１つの導体部からなるモノポールアンテナ形状のものであってもよい。
【００５３】
（第２の実施の形態）
図４は、本発明の広帯域アンテナの第２の実施の形態を示す図であり、（ａ）は平面図、（ｂ）は（ａ）に示したＡ−Ａ’断面図、（ｃ）は（ａ）に示したＢ−Ｂ’断面図である。
【００５４】
本形態における広帯域アンテナは図４に示すように、樹脂や紙等からなるベース基材２３０上に形成されたアンテナ部２２０であって、二等辺三角形の形状を有する２つの導体部２２０ａ，２２０ｂからなるボウタイアンテナ形状である。２つの導体部２２０ａ，２２０ｂはそれぞれ、二等辺三角形の頂点どうしが空隙を有するように配置され、その頂点に給電点２２３ａ，２２３ｂを有しており、平坦部２２１と凹凸部２２２とからなる。
【００５５】
平坦部２２１は、平坦なベース基材１３０の表面に導電ペーストを塗布すること等によって導体部２２０ａ，２２０ｂが形成されていることにより、給電点２２３ａ，２２３ｂから導体部２２０ａ，２２０ｂの給電点２２３ａ，２２３ｂに対向する端部までが平坦のみで形成されている。
【００５６】
凹凸部２２２は、導体部２２０ａ，２２０ｂのうち二等辺三角形の側辺に沿う領域において、給電点２２３ａ，２２３ｂから離れる方向に複数の凹部２２２ａが形成されており、それにより、給電点２２３ａ，２２３ｂから導体部２２０ａ，２２０ｂの給電点２２３ａ，２２３ｂに対向する端部までの間にて凹凸が繰り返し形成されたものとなっている。
【００５７】
以下に、上記のように構成された広帯域アンテナの製造方法について説明する。
【００５８】
図５は、図４に示した広帯域アンテナの製造方法を説明するための図である。
【００５９】
図４に示した広帯域アンテナを製造するためには、まず、ベース基材２３０上の凹部２２２ａが形成される領域にエンボス版を用いて凹部２３１を形成する（図５（ａ））。
【００６０】
次に、凹部２３１が形成されたベース基材２３０上に銀等からなる導電ペーストをスクリーン印刷等の手法によってアンテナ部２３０の外形に合わせて塗布し、複数の凹部２２２ａによる凹凸部２２２と、凹部２２２ａが形成されていない平坦部２２１とを有する導体部２２０ａ，２２０ｂからなる広帯域アンテナが完成する（図５（ｂ））。
【００６１】
以下に、上述した広帯域アンテナの作用について説明する。
【００６２】
図６は、図４に示した広帯域アンテナを用いた非接触型ＩＣタグの一例を示す平面図である。
【００６３】
本例は図６に示すように、図４に示したようにアンテナ部２２０が形成されたベース基材２３０上に、アンテナ部２２０を構成する２つの導体部２２０ａ，２２０ｂの給電点２２３ａ，２２３ｂに接続されるように、非接触状態にて情報の書き込み及び読み出しが可能なＩＣチップ２１０が搭載されて構成されている。
【００６４】
上記のように構成された非接触型ＩＣタグにおいては、外部に設けられた情報書込／読出装置（不図示）に近接させることにより、情報書込／読出装置からの電波によりアンテナ部２２０に電流が流れ、この電流がＩＣチップ２１０に供給され、それにより、非接触状態において、情報書込／読出装置からＩＣチップ２１０に情報が書き込まれたり、ＩＣチップ２１０に書き込まれた情報がアンテナ部２２０を介して情報書込／読出装置にて読み出されたりする。
【００６５】
ここで、上述した非接触型ＩＣタグは、アンテナ部２２０がボウタイアンテナ形状であることから、アンテナ部２２０の図中Ｃ−Ｃ’間の長さから図中Ｄ−Ｄ’間の長さまでのあらゆる長さによる共振点が存在し、広帯域が実現されることになるが、その長さが長くなる導体部２２０ａ，２２０ｂの二等辺三角形の側辺に沿う領域が、複数の凹部２２２ａが形成された凹凸部２２２となっているため、導体部２２０ａ，２２０ｂの二等辺三角形の側辺に沿う領域の長さが、凹部２２２ａの深さの分だけ長くなっており、それにより、さらなる広帯域を実現することができる。
【００６６】
このように、本形態においては、二等辺三角形の形状を有する２つの導体部２２０ａ，２２０ｂからなるボウタイアンテナ形状のアンテナ部２２０において、導体部２２０ａ，２２０ｂの二等辺三角形の側辺に沿う領域が、複数の凹部２２２ａが形成された凹凸部２２２となっているため、ボウタイアンテナ形状を有するアンテナ部２２０においてさらなる広帯域を実現することができる。
【００６７】
（第３の実施の形態）
図７は、本発明の広帯域アンテナの第３の実施の形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図である。
【００６８】
本形態における広帯域アンテナは図７に示すように、図１に示したものに対して、凹部３２２ａの形状のみが異なるものである。本形態における凹部３２２ａは図７（ｄ）に示すように、平坦部３２１となる領域からその深さが徐々に深くなっている。それにより、凹凸部３２２における凹凸の高低差が、平坦部３２１から離れるに従って大きくなっている。
【００６９】
上記のように構成された広帯域アンテナにおいては、図１に示したものと同様に、凹凸部３２２におけるアンテナ部３２０の長さが平坦部３２１におけるアンテナ部３２０の長さよりも凹部３２２ａの深さ分だけ長くなるが、凹部３２２ａが、平坦部３２１となる領域からその深さが徐々に深くなっていく形状となっているため、凹凸部３２２におけるアンテナ部３２０の実質的な長さが、平坦部３２１におけるアンテナ部３２０の長さに対して平坦部３２１から離れるに従って徐々に長くなっており、それにより、平坦部３２１からの共振点の変化を緩やかにすることができる。
【００７０】
（第４の実施の形態）
図８は、本発明の広帯域アンテナの第４の実施の形態を示す図である。
【００７１】
本形態における広帯域アンテナは図８に示すように、図４に示したものに対して、導体部４２０ａ，４２０ｂのそれぞれに、２種類の凹凸部４２２，４２４が設けられている点のみが異なるものである。
【００７２】
凹凸部４２２は、二等辺三角形の側辺に沿う領域に複数の凹部４２２ａが形成されてなるものであり、図４に示したものと同数の凹部４２２ａが形成されている。また、凹凸部４２４は、凹凸部４２２と平坦部４２１との間に挟まれた領域に複数の凹部４２４ａが形成されてなるものであり、凹部４２４ａの数は、凹凸部４２２における凹部４２２ａの数よりも少なくなっている。これにより、導体部４２０ａ，４２０ｂに形成される凹凸部における凹部の数は、平坦部４２１から離れるに従って多くなっている。
【００７３】
上記のように構成された広帯域アンテナにおいては、図４に示したものと同様に、凹凸部４２２，４２４におけるアンテナ部４２０の長さが平坦部４２１におけるアンテナ部４２０の長さよりも凹部４２２ａ，４２４ａの深さ分だけそれぞれ長くなるが、平坦部４２１と凹凸部４２２との間に形成された凹凸部４２４における凹部４２４ａの数が、凹凸部４２２における凹部４２２ａの数よりも少ないため、凹凸部４２２，４２４におけるアンテナ部４２０の長さが、平坦部４２１におけるアンテナ部４２０の長さに対して平坦部４２１から離れるに従って徐々に長くなっており、それにより、平坦部４２１からの共振点の変化を緩やかにすることができる。
【００７４】
なお、本形態においては、導体部４２０ａ，４２０ｂのそれぞれに、凹部の数が異なる２種類の凹凸部４２２，４２４が設けられたものを例に挙げて説明したが、平坦部４２１から離れるに従って凹部の数が多くなるように３つ以上の凹凸部を設けてもよい。
【００７５】
また、上述した４つの実施の形態における凹部の構成を入れ替えることも考えられる。すなわち、図１や図７に示したような帯状の２つの導体部からなるアンテナ部において、エンボス版を用いて凹部が形成されたベース基材に導体部を形成して導体部に凹部を形成することや、図４に示したようなボウタイアンテナ形状を有するアンテナ部において、ベース基材上に導体部を形成した後にこの導体部のみに凹部を形成する構成としてもよい。
【００７６】
また、上述した４つの実施の形態においては、導体部に凹部を形成することにより凹凸部を有する構成としたが、導体部に凸部を形成することにより凹凸部を有する構成とすることも考えられる。いずれにしても、平坦部に対して凹凸を有する構成であればよい。
【００７７】
また、上述した実施の形態においては、非接触通信媒体として非接触型ＩＣタグを例に挙げて説明したが、本発明は、非接触状態にて情報の書き込み及び読み出しが可能なＩＣチップが導体部に接続されてベース基材上に搭載されてなる非接触通信媒体であれば、この他に、非接触型ＩＣタグや非接触型ＩＣカード等も適用することができる。
【図面の簡単な説明】
【００７８】
【図１】本発明の広帯域アンテナの第１の実施の形態を示す図であり、（ａ）は平面図、（ｂ）は（ａ）に示したＡ−Ａ’断面図、（ｃ）は（ａ）に示したＢ−Ｂ’断面図である。
【図２】図１に示した広帯域アンテナの製造方法を説明するための図である。
【図３】図１に示した広帯域アンテナを用いた非接触型ＩＣタグの一例を示す平面図である。
【図４】本発明の広帯域アンテナの第２の実施の形態を示す図であり、（ａ）は平面図、（ｂ）は（ａ）に示したＡ−Ａ’断面図、（ｃ）は（ａ）に示したＢ−Ｂ’断面図である。
【図５】図４に示した広帯域アンテナの製造方法を説明するための図である。
【図６】図４に示した広帯域アンテナを用いた非接触型ＩＣタグの一例を示す平面図である。
【図７】本発明の広帯域アンテナの第３の実施の形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図である。
【図８】本発明の広帯域アンテナの第４の実施の形態を示す図である。
【図９】マイクロ波帯を利用して通信を行うＩＣチップが搭載された非接触型ＩＣタグの一例を示す図であり、（ａ）は平面図、（ｂ）は（ａ）に示したＡ−Ａ’断面図である。
【図１０】図９に示した非接触型ＩＣタグの周波数特性を説明するための図である。
【図１１】一般的なボウタイアンテナを有する非接触型ＩＣタグの一例を示す図であり、（ａ）は平面図、（ｂ）は（ａ）に示したＡ−Ａ’断面図である。
【図１２】図１１に示した非接触型ＩＣタグの周波数特性を説明するための図である。
【符号の説明】
【００７９】
１１０，２１０    ＩＣチップ
１２０，２２０，３２０，４２０    アンテナ部
１２０ａ，１２０ｂ，２２０ａ，２２０ｂ，３２０ａ，３２０ｂ，４２０ａ，４２０ｂ    導体部
１２１，２２１，３２１，４２１    平坦部
１２２，２２２，３２２，４２２，４２４    凹凸部
１２２ａ，２２２ａ，２３１，３２２ａ，４２２ａ，４２４ａ    凹部
１２３ａ，１２３ｂ，２２３ａ，２２３ｂ，３２３ａ，３２３ｂ，４２３ａ，４２３ｂ    給電点
１３０，２３０，３３０，４３０    ベース基材
１４０    プレス型
【図１】
2009077249.tif 000003
【図２】
2009077249.tif 000004
【図３】
2009077249.tif 000005
【図４】
2009077249.tif 000006
【図５】
2009077249.tif 000007
【図６】
2009077249.tif 000008
【図７】
2009077249.tif 000009
【図８】
2009077249.tif 000010
【図９】
2009077249.tif 000011
【図１０】
2009077249.tif 000012
【図１１】
2009077249.tif 000013
【図１２】
2009077249.tif 000014